(57)【要約】【課題】湯を注ぐにしても、電気解氷器を使用する場合でも、解氷作業が容易に行える、地上配管型水抜栓を提供する。【解決手段】弁箱と流出金具を接続する揚水管外周に、弁箱または揚水管に接続されて流出金具下方まで立ち上がる金属製の解氷パイプを位置させ、その上端に、非金属製の絶縁キャップを着脱自在に装着し、注湯時は絶縁キャップを外して湯を解氷パイプと揚水管の間隙に注ぎ込み、電気解氷器使用時は、絶縁キャップをしたまま、流出金具あるいはその近傍の金具と解氷パイプに電気解氷器のクリップを挟んで通電するようにしたものである。【選択図】図１
2006028919.tif 000002
【特許請求の範囲】
【請求項１】
地中凍結深度以下に埋設され、流入口、排水口を有する弁箱と、地上部の流出口を有する流出金具を接続する揚水管外周に、弁箱または揚水管に接続されて流出金具下方まで立ち上がる金属製の解氷パイプを位置させ、その上端に、非金属製の絶縁キャップを着脱自在に装着してなる、解氷可能な地上配管型水抜栓。
【請求項２】
上記絶縁キャップは、揚水管と解氷パイプ間に一定の長さを有する下垂部を設けたことを特徴とする、請求項１記載の解氷可能な地上配管型水抜栓。
【発明の詳細な説明】
【技術分野】
【０００１】
本発明は、凍結時に容易に解氷作業を行える地上配管型水抜栓に関する。
【背景技術】
【０００２】
従来、例えば冬に水抜きを忘れて配管内を凍結させたような場合、使用者がヤカン等で湯を掛けるか、それが難しい場合は、コストはかかっても、工事業者に頼んで電気解氷器を使用して解氷するのが一般的であった。
【０００３】
しかし、電気解氷器を使用する場合は、特許文献１の図５、特許文献２の図４に示すように、地下配管型水抜栓の場合は解氷可能であるが、地上配管型水抜栓の場合は完全な解氷作業が不可能であり、そのため、電気解氷を可能にしようとして出願したのが、特許文献１および特許文献２のものである。
【特許文献１】特願平６−３２９４９７号公報
【特許文献２】特願平６―３３１８８９号公報
【発明の開示】
【発明が解決しようとする課題】
【０００４】
上記出願により電気解氷は可能となったが、どうしても構造が複雑になる上、湯を注いで解氷する、という観点には全く立っていなかった。そのため、湯でも、電気解氷器でも容易に解氷作業が出来る、地上配管型水抜栓を提供することを目的とするものである。
【課題を解決するための手段】
【０００５】
弁箱と流出金具を接続する揚水管外周に、弁箱または揚水管に接続されて流出金具下方まで立ち上がる金属製の解氷パイプを位置させ、その上端に、非金属製の絶縁キャップを着脱自在に装着し、注湯時は絶縁キャップを外して湯を解氷パイプと揚水管の間隙に注ぎ込み、電気解氷器使用時は、絶縁キャップをしたまま、流出金具あるいはその近傍の金具と解氷パイプに電気解氷器のクリップを挟んで通電するようにしたものである。
【発明の効果】
【０００６】
本発明により、簡単な構造で、容易に注湯と電気解氷器による解氷作業が出来るようになり、寒冷地における快適な暮らしの向上に大きく貢献できるものである。
【発明を実施するための最良の形態】
【０００７】
本発明の絶縁キャップは、揚水管と解氷パイプ間に一定の長さを有する下垂部をもうけ、解氷パイプから着脱自在に、かつ、確実に両者間を絶縁できることを最良の形態としている。
【実施例１】
【０００８】
図１は本発明の１実施例を示す、通水状態における縦断面図であるが、地中、凍結深度以下に埋設された弁箱１は、側方に流入口２を、その下方に排水口３を突出して設け、内部には、流入口２の上方にシリンダ４を、流入口２と排水口３間にシリンダ５を、排水口３の下方にシリンダ６を、それぞれ同径に形成している。
【０００９】
弁箱１内には、上記シリンダ４，５，６をそれぞれ摺動する３個の環状パッキン７，８，９を装着し、内部に、下端から環状パッキン７上方に貫通する連通孔１０を有するピストン１１を収容している。
【００１０】
弁箱１は揚水管１２により地上部に延長されて、側方に流出口１３を突出させ、内部上方に流出側シリンダ１４を有する流出金具１５に接続され、さらにその上端の操作部本体１６に接続されている。なお、工事の利便性を考え、流出金具１５に対して流出口１３の向きが自由に変わるよう、あるいは流出金具１５自体が揚水管１２に対して自由に回転できるよう、設計変更しても構わない。
【００１１】
ピストン１１はロッド１７により地上部に延長され、上記流出側シリンダ１４に密着するリングパッキン１８を装着したロッド継手１９に接続され、さらに、ロッド継手１９上端に回転自在に管吊連結された操作桿２０に接続される。
【００１２】
操作桿２０は作動用雄ねじ２１を有しており、ハンドル２２の回転に伴い、操作部本体１６内を回転しながら上下動するようにしているが、これは、カム、レバー、ヘリコイド等、ピストン構造の変化に対応させて種々の操作機構を採用することが出来る。
【００１３】
２３は、弁箱１の上端部に接続され、揚水管１２の外周に注湯できる程度の間隙を有せしめて同心上に地上部に延長された金属製の解氷パイプであり、上端に樹脂、ゴム等の非金属製の絶縁キャップ２４を着脱自在に装着している。
【００１４】
絶縁キャップ２４は、１例として樹脂製で、図２に示すように、解氷パイプ２３の内面から容易には離脱しないよう、また挿入し易いよう、下端部がくさび状の４個の突起２５を有し、また、２ヶ所の切り欠き部２６によりばね弾性を有せしめ、さらに、揚水管１２と解氷パイプ２３の軸心が多少ずれても装着可能なように、内径が揚水管１２よりやや大径の下垂部２７を有しており、外方には解氷パイプ２３の端面を隠して審美性を増す意味でカギ状の鍔部２８をもうけている。
【００１５】
下垂部２７は、ばね弾性を利用して揚水管１２外周に密着させるようにもできるが、通電時、もし、下垂部２７が接触する揚水管１２部分に水、氷がなく、空の場合は下垂部２７が熱変形を起こす恐れも考慮する必要がある。
【００１６】
絶縁キャップ２４は、審美性、異物の混入防止等の他に、揚水管１２と解氷パイプ２３が直接接触して電気的に短絡させない意味合いが強いものなので、下垂部２７は揚水管１２と解氷パイプ２３間にもうけるのが最も望ましいが、解氷パイプ２３外周にもうけ、上端の鍔部により直接接触させないようにすることも可能であり、いずれにしても上記目的に添う、材質、形状、寸法等の設計変更は自由である。なお、図示しないが排水口３には地中の汚水が弁箱１内に入り込まないよう、逆止弁が取り付けられている。また、２９は、適宜な大きさの注湯時の湯の排出穴である。
【００１７】
図は通水状態を示しているが、流入口２からの圧力水はシリンダ４とピストン１１の間隙を通って揚水管１２内に流れ込み、流出口１３から下流側配管を通り、末端の蛇口（いずれも図示せず）等の器具へと流れている。このとき、環状パッキン８，９がシリンダ５，６に、リングパッキン１８が流出側シリンダ１４に密着しているので、他所への漏水は生じない。
【００１８】
冬、凍結の恐れがあるときには、上端のハンドル２２を回転させて作動用雄ねじ２１により操作桿２０を上昇させるとよく、ロッド継手１９は回転することなく上昇し、ロッド１７を介してピストン１１も同時に上昇する。
【００１９】
この時、まず、環状パッキン７がシリンダ４に密着して環状パッキン８とにより流入口２からの圧力水を遮断し、その後で環状パッキン９がシリンダ６から離脱して揚水管１２内、および流出口１３下流側の水は連通孔１０を通って排水口３から地中に排出され、空になるので、凍結を防止することができる。
【００２０】
もし、水抜きを忘れて揚水管１２内の水が凍結し、水が出ず、解氷作業を行うとき、使用者が注湯により解氷する場合は、絶縁キャップ２４を指で押し上げて解氷パイプ２３から離脱させ、ヤカンで湯を解氷パイプ２３と揚水管１２の間隙にゆっくり注ぎ込めばよく、弁箱１の解氷パイプ２３下端部に穿った排出穴２９から冷えた湯が排出されるので、解氷パイプ２３上端から湯があふれないよう注意しながら、氷が融けて水が流れ始めるまで作業を続行することになる。
【００２１】
従って、流出金具１５の下端部と絶縁キャップ２４の上端部には、絶縁キャップ２４を持ち上げて、ヤカンの口が入る程度の隙間は必要になる。作業終了後は、絶縁キャップ２４を解氷パイプ２３内に押し入れると、下端がくさび状になった突起２５が切り欠き部２６を押しすぼめるようにして、解氷パイプ２３内壁に容易には離脱しないよう装着される。
【００２２】
水道工事店等に依頼して電気解氷器を使用するときは、絶縁キャップ２４をつけたまま、流出金具１５、操作部本体１６あるいはその下流側配管、末端器具等に電気解氷器のクリップの一方を挟み、他方のクリップを解氷パイプ２３に挟んで通電することにより、流出金具１５、揚水管１２、弁箱１、解氷パイプ２３と電流が流れて揚水管１２が発熱し、比較的短時間で解氷作業を終了させることができる。
【００２３】
解氷パイプ２３は、審美性、導電性、軽量、安価、腐食性、等を考慮すると、アルマイト処理を施したアルミ管を使用するのが望ましいが、勿論それに拘るものではない。また、
解氷パイプ２３を弁箱１に接続する代わりに、揚水管１２の弁箱１に接続されるねじ部を長く加工し、そこに解氷パイプ２３に接続された金属製継手をねじ接続させることもできる。勿論このときも、排出穴２９は必要となる。
【産業上の利用可能性】
【００２４】
本発明によれば、弁構造、操作部機構に関係なく、広く地上配管型水抜栓に適用でき、弁箱１を新たに設計しなくても、従来の弁箱を加工して、あるいは全くそのまま解氷パイプと揚水管を電気的に導通させることも可能になるので、生産者に有益であり、また、凍結させたときの解氷方法を使用者に選択させることができるので使用者にも有益になるなど、いずれにしても寒冷地の快適な生活向上に大きく貢献できるものである。
【図面の簡単な説明】
【００２５】
【図１】本発明の地上配管型水抜栓の１実施例を示す、通水状態における縦断面図である。
【図２】図１の絶縁キャップ２４の正面図である。
【符号の説明】
【００２６】
１          弁箱
２          流入口
３          排水口
１２          揚水管
１３          流出口
１５          流出金具
２３          解氷パイプ
２４          絶縁キャップ
２７          下垂部
【図１】
2006028919.tif 000003
【図２】
2006028919.tif 000004